(57)【要約】【課題】ベルトを８の字状に交差させたときの交点を固定するプレートを有する胴輪は、装着時や装着後の環状部の長さ調整が行いにくいという課題があった。【解決手段】両端に雌雄連結具の雌部と雄部がそれぞれ固定され、８の字状に交差され、２つの環状部と交差部を有する本体ベルトと、  一端に締結環が固定され、前記２つの環状部を通って前記交差部を囲み、前記締結環をくぐった他端に連結環が固定された連結帯と、  前記本体ベルトに対して前記連結帯を挟んで固定される橋状帯を有することを特徴とする胴輪は、８の字状に交差された本体ベルトの交差部を連結帯で巻いただけであるので、交差部では、本体ベルトの移動が容易である。結果、ペットへの装着および装着後の微調整は、行いやすい。  一方、ペットに装着した後、連結帯を引っ張ると、連結帯が交差部を絞り上げ、実質的に固定されているのと同じ状態を得ることができる。【選択図】図１
2018139566.tif 000002
【特許請求の範囲】
【請求項１】
両端に雌雄連結具の雌部と雄部がそれぞれ固定され、８の字状に交差され、２つの環状部と交差部を有する本体ベルトと、
一端に締結環が固定され、前記２つの環状部を通って前記交差部を囲み、前記締結環をくぐった他端に連結環が固定された連結帯と、
前記本体ベルトに対して前記連結帯を挟んで固定される橋状帯を有することを特徴とする胴輪。
【請求項２】
前記本体ベルトには、長さ調節部が設けられていることを特徴とする請求項１に記載された胴輪。
【発明の詳細な説明】
【技術分野】
【０００１】
本発明はペットの胴輪に関するものである。
【背景技術】
【０００２】
ペット（特に犬）を繋ぎ留めておくためには、従来首輪が使われていた。しかし、ペットの負担をより少なくするために、主として胴を支持する胴輪が提案されてきた。胴輪には、さまざまな形態のものが提案されているが、シンプルな形態のものとしては、特許文献１がある。図５を参照して、特許文献１の胴輪は、一連のベルト１１０を交差状に挿通係止するもので、ベルト１１０を環部が２つできる８の字状にし、それぞれの環部を首元と胴に回し、ベルト１１０の交点を固定するプレート１１２を配置したものである。
【０００３】
なお、図６を参照して、ベルト１１０を８の字状にし、それぞれの環部１１０ａ、１１０ｂをペットの左右の前足にそれぞれ通し、ベルト１１０の環部をペットの左右から背中でまとめ、固定する方式もある（特許文献２参照）。この場合、８の字状にしたベルト１１０の交点１１４はペットの胸の部分に配置される。
【０００４】
特許文献１と同じタイプの胴輪としては、特許文献３、特許文献４、特許文献５等がある。
【先行技術文献】
【特許文献】
【０００５】
【特許文献１】実開平０６−００００５７号公報
【特許文献２】特開２００８−１３１９１３号公報
【特許文献３】特開２０００−２６２１７８号公報：特許第３３８７０１９号
【特許文献４】特開２００４−２５４５３８号公報：特許第４２０００２４号
【特許文献５】特開２００５−２０４６２２号公報：特許第４１９５３９５号
【発明の概要】
【発明が解決しようとする課題】
【０００６】
特許文献１と３乃至５は、ベルトを８の字状に交差させたときの交点を固定するプレートに特徴があるものであった。
【０００７】
交点を固定するプレートがないと、交点がペットの背中から移動してしまい、胴輪が外れてしまう場合がある。したがって、８の字状に交差させたベルトを首元と胴に回してペットを拘束するタイプの胴輪にとっては、必要な用具であると言える。
【０００８】
しかし、このタイプの胴輪は、装着の際に、首にかける方の環状部を大きくして首にかけ、その後首にかけた環状部を絞りながら胴に回すという手順が必要である。したがって、交差部を固定するプレートは、装着や長さ調整を行いにくくしているという課題があった。
【課題を解決するための手段】
【０００９】
本発明は上記の課題に鑑みて想到されたもので、ベルトを８の字状に交差させて交点を固定する胴輪であっても、装着前後に微調整がやり易い胴輪を提供するものである。
【００１０】
より具体的に本発明に係る胴輪は、
両端に雌雄連結具の雌部と雄部がそれぞれ固定され、８の字状に交差され、２つの環状部と交差部を有する本体ベルトと、
一端に締結環が固定され、前記２つの環状部を通って前記交差部を囲み、前記締結環をくぐった他端に連結環が固定された連結帯と、
前記本体ベルトに対して前記連結帯を挟んで固定される橋状帯を有することを特徴とする。
【発明の効果】
【００１１】
本発明に係る胴輪は、８の字状に交差された本体ベルトの交差部を連結帯で巻いただけであるので、交差部では、本体ベルトの移動が容易である。結果、ペットへの装着および装着後の微調整は、行いやすい。
【００１２】
一方、ペットに装着した後、連結帯に引き紐を連結させると、連結帯は交差部を絞り上げる。結果交差部は固定され本体ベルトは交差部の両側に移動できなくなり、実質的に固定されているのと同じ状態を得ることができる。
【００１３】
また、連結帯は本体ベルトに橋状帯で固定されるため、本体ベルトに対する交差部の位置が相対的にズレることがない。
【図面の簡単な説明】
【００１４】
【図１】本発明に係る胴輪の斜視図である。
【図２】長さ調節部の断面図である。
【図３】胴輪を犬に装着する状態を示す図である。
【図４】胴輪の長さ調節を説明する図である。
【図５】従来の胴輪を示す図である。
【図６】従来例で他のタイプの胴輪を示す図である。
【発明を実施するための形態】
【００１５】
以下に本発明に係る胴輪について図面および実施例を示し説明を行う。なお、以下の説明は、本発明の一実施形態および一実施例を例示するものであり、本発明が以下の説明に限定されるものではない。以下の説明は本発明の趣旨を逸脱しない範囲で改変することができる。
【００１６】
図１に本発明に係る胴輪の斜視図を示す。また、図１（ａ）には、胴輪１の表側、図１（ｂ）には胴輪１の裏側を示す。裏面はペットに直接触れる面である。胴輪１は、本体ベルト１０と、連結帯２０と橋状帯３０で構成される。
【００１７】
本体ベルト１０は、１本の帯状部材で構成される。材質は特に限定されないが、ペットの体を拘束するものであるので、肌触りは柔らかいが、伸びにくい材質（引っ張り強度が高い材質）が好適に利用できる。ペットの拘束具であるので、伸びてしまってはすぐに脱出されてしまうからである。合成繊維、布、皮、といった素材やこれらの複合素材（複層構造を含む）が好適に利用できる。
【００１８】
本体ベルト１０の両端には、雌雄連結具１２の雄部１２ａと雌部１２ｂがそれぞれ結合されている。雌雄連結具１２は、雄部１２ａが雌部１２ｂに挿入されると、ロックされ、解除操作を行わなければ、結合解除ができない連結具である。雄部１２ａと雌部１２ｂの形状は特に限定されるものではないが、ペットを引くとき若しくはペットが激しく引っ張った時にでも、結合が切れない雌雄連結具であればよい。
【００１９】
本体ベルト１０の一部には、長さ調節部１４が備えられていてもよい。図２には、バックル１４ａ付近の断面図を示す。長さ調節部１４は、本体ベルト１０を一部ループ状１１にし、それをバックル１４ａで固定したものである。なお、この場合、本体ベルト１０の１本の長尺素材としての一方の切断端１０ｔはバックル１４ａの近傍で固定される。雌雄連結具１２の一方（本図の場合は雄部１２ａ）は、長さ調節部１４によって形成されたループ部分１４Ｌに連結される。しかし、この場合であっても、本体ベルト１０の両端は、雌雄連結具１２の雄部１２ａと雌部１２ｂが連結された部分であると言ってよい。
【００２０】
再び図１を参照する。本体ベルト１０は、８の字状に交差される。本体ベルト１０が交差した部分を交差部１０ｃと呼ぶ。したがって、交差部１０ｃを境にして本体ベルト１０の環状になる部分が２か所形成される。これをそれぞれ環状部１０Ｌａ、環状部１０Ｌｂとする。説明のため、図１（ａ）の交差部１０ｃにおいて、図面上上側になっている本体ベルト１０を上側ベルト１０ａと呼び、下側になっている本体ベルト１０を下側ベルト１０ｂと呼ぶ。
【００２１】
交差部１０ｃには、連結帯２０が巻き付けられる。連結帯２０は、１本の帯状部材である。本体ベルト１０と同じ素材が好適に利用することができる。長さは本体ベルト１０よりも短い。交差部１０ｃで交差された本体ベルト１０を囲むだけの長さがあればよいからである。
【００２２】
連結帯２０の一端には締結環２２が設けられている。締結環２２は、連結帯２０の一端側に設けられた環状形態である。具体的には、金属製のＯ環若しくはＤ環といった金属製環状部品が好適に用いられる。なお、締結環２２は、金属製環状部品を用いなくてもよい。例えば、連結帯２０の一端を円弧状に形成し、締結環２２を形成してもよい。
【００２３】
連結帯２０の一端（締結環２２）は、環状部１０Ｌａと環状部１０Ｌｂの両方を通り、交差部１０ｃを囲む。連結帯２０は、交差部１０ｃに巻き付くと言ってもよい。連結帯２０の他端は、締結環２２をくぐる。結果、連結帯２０の他端を引けば、連結帯２０は、交差部１０ｃを絞り上げる。連結帯２０の他端には、連結環２４が固定される。連結環２４は、Ｄ環が好適に利用される。
【００２４】
図１（ｂ）を参照する。交差部１０ｃにおいて、上側ベルト１０ａの裏側には、連結帯２０を上側ベルト１０ａとで挟むように橋状帯３０が設けられる。橋状帯３０は、本体ベルト１０と同じ素材であってよい。幅は本体ベルト１０の幅１０ｗと同じ若しくは少し狭い程度の幅であってよい。橋状帯３０の一端３０ａは、交差部１０ｃの手前の上側ベルト１０ａの裏側に固定され、他端３０ｂは、交差部１０ｃの後の上側ベルト１０ａの裏側に固定される。
【００２５】
結果、交差部１０ｃでは、裏側から橋状帯３０、連結帯２０（の下側）、下側ベルト１０ｂ、上側ベルト１０ａ、連結帯２０（の上側）が重なることとなる。したがって、交差部１０ｃの部分では、橋状帯３０が接することとなる。
【００２６】
次に上記のような構成を有する胴輪１についてその動作について説明する。図３には、胴輪１の装着方法を示す。なお、雄部１２ａと雌部１２ｂとの間の長さは、長さ調節部１４で調節する。長さ調節部１４で調節された後、環状部１０Ｌａと環状部１０Ｌｂ（図３（ｂ）参照）は、それぞれペットの首および胴に巻き付けられる（図３（ａ））。
【００２７】
まず、雌雄連結具１２を解除し、環状部１０Ｌａをペットの首よりやや大きくし、ペットの首に回す。そして、環状部１０Ｌａを絞りながらペットの首回りの大きさに合わせる。交差部１０ｃがペットの背中に来るように配置する。その後ペットの胴に回して、雌雄連結具１２を連結状態にする（図３（ｂ））。すなわち、環状部１０Ｌｂをペットの胴に巻き付ける。
【００２８】
最後に連結帯２０の先端になる連結環２４にナス環等の結合金属具５０を介して引き紐５２に連結する。このようにして、本発明に係る胴輪１がペットに装着される（図３（ｃ））。
【００２９】
次に図４を参照して、本体ベルト１０の長さ調整について説明する。すでに述べたように、そのペットに適合するように雄部１２ａと雌部１２ｂとの間の長さは長さ調節部１４で調整済みであるとする。
【００３０】
装着するペットに対する胴輪１の長さが決まってしまうと、装着時や再調整の際の微調整は、首回りの長さと胴回りの長さのトレードオフの調整でよい。つまり、首回りを絞って、胴回りを緩めるか、首回りを緩めて胴周りを絞るかである。
【００３１】
本発明に係る胴輪１は、上側ベルト１０ａと下側ベルト１０ｂが交差部１０ｃで固定されていないので、連結帯２０を緩めると、極めて容易に環状部１０Ｌａと環状部１０Ｌｂの大きさの調節ができる。具体的には、下側ベルト１０ｂを環状部１０Ｌａ側に動かせば（符号４０ａ方向）、環状部１０Ｌａが大きくなり、環状部１０Ｌｂは小さくなる。逆に下側ベルト１０ｂを環状部１０Ｌｂ側に動かせば（符号４０ｂ方向）、環状部１０Ｌａは小さくなり、環状部１０Ｌｂは大きくなる。
【００３２】
また、上側ベルト１０ａを動かすことでも調節することができる。具体的には、上側ベルト１０ａを環状部１０Ｌａ側に動かせば（符号４１ｂ方向）、環状部１０Ｌａが大きくなり、環状部１０Ｌｂは小さくなる。逆に上側ベルト１０ａを環状部１０Ｌｂ側に動かせば（符号４１ａ方向）、環状部１０Ｌａは小さくなり、環状部１０Ｌｂは大きくなる。
【００３３】
次いで調整が終了したら、連結環２４を引き、連結帯２０を締め付けることで、交差部１０ｃは固定される。連結帯２０は引き紐などで引かれると交差部１０ｃをさらに締め上げるので、交差部１０ｃは実質的に固定されているのと等しい。
【００３４】
以上のように、本発明に係る胴輪１は、簡単な構造であるにもかかわらず、微調整が極めて簡単である。また一度連結帯２０を引き絞ると、交差部１０ｃと連結帯２０との摩擦によって、自然に緩むことはほとんどなく、実質的に固定されているのと等しい。また、胴輪１の交差部１０ｃの裏側には、金属部分はなく、雌雄連結具１２とバックル１４ａにシリコンなどの可撓性を有する材料でガードすると、ペットに対するストレスは低いものとなる。
【産業上の利用可能性】
【００３５】
本発明に係る胴輪は犬、猫のほか、胴輪を装着できる動物であれば、好適に使用することができる。
【符号の説明】
【００３６】
１  胴輪
１０  本体ベルト
１０ａ  上側ベルト
１０ｂ  下側ベルト
１０ｃ  交差部
１０Ｌａ  環状部
１０Ｌｂ  環状部
１０ｔ  切断端
１０ｗ  （本体ベルトの）幅
１１  ループ状
１２  雌雄連結具
１２ａ  雄部
１２ｂ  雌部
１４  長さ調節部
１４ａ  バックル
１４Ｌ  ループ部分
２０  連結帯
２２  締結環
２４  連結環
３０  橋状帯
３０ａ  （橋状帯の）一端
３０ｂ  （橋状帯の）他端
５０  結合金属具
５２  引き紐
【図１】
2018139566.tif 000003
【図２】
2018139566.tif 000004
【図３】
2018139566.tif 000005
【図４】
2018139566.tif 000006
【図５】
2018139566.tif 000007
【図６】
2018139566.tif 000008